(57)【要約】【課題】チューナのチャンネル設定の変化に起因して録画動作が正しく実施されないことを防止することができる映像記録再生装置を提供する。【解決手段】映像記録再生装置１は、チューナ１０Ａ及び１０Ｂが受信可能なチャンネルを示す視聴チャンネル設定情報１３２と、定期的に繰り返し録画するチャンネル及び時間帯を示すニュースチャンネル設定情報１３１と、ニュースチャンネル設定情報１３１に基づいて録画されたニュース映像情報１３０とを記憶する記憶部１３と、視聴チャンネル設定情報１３２のチャンネルとニュースチャンネル設定情報１３１のチャンネルとが一致しないときニュースチャンネル設定情報１３１を再度設定するニュース録画管理部１２Ｄとを有する。【選択図】図２
2010238319.tif 000002
【特許請求の範囲】
【請求項１】
現在チューナが受信可能なチャンネルを示す視聴チャンネル設定情報を更新可能に記憶させるとともに、定期的に繰り返し録画するチャンネル及び時間帯を示す録画チャンネル設定情報を記憶する記憶部と、
前記記憶部の前記視聴チャンネル設定情報のチャンネルと前記録画チャンネル設定情報のチャンネルとが一致しないとき、前記録画チャンネル設定情報を書き換える録画管理部とを有することを特徴とする映像記録再生装置。
【請求項２】
前記録画管理部は、前記録画チャンネル設定情報を書き換えるとき、予め定められたチャンネル及び予め定められた時間帯を用いて書き換え、前記記憶部の視聴チャンネル設定情報に前記予め定められたチャンネルが存在しないとき、他のチャンネル及び時間帯を用いて書き換えることを特徴とする請求項１に記載の映像記録再生装置。
【請求項３】
前記録画管理部は、前記録画チャンネル設定情報に基づいて録画された映像情報を再生する操作信号が入力されたとき、前記視聴チャンネル設定情報のチャンネルと前記録画チャンネル設定情報のチャンネルとの一致を検証することを特徴とする請求項１又は２に記載の映像記録再生装置。
【発明の詳細な説明】
【技術分野】
【０００１】
本発明は、映像記録再生装置に関する。
【背景技術】
【０００２】
利用者の視聴頻度の高い番組を自動で記録する映像記録再生装置が知られている。
【０００３】
例えば、特許文献１の映像記録再生装置は、設置された地域に合わせたチャンネル設定で放送波を受信するチューナと、利用者のチューナにおける選局操作があったときに、その選局内容を記憶する記憶手段と、記憶された選局内容に関する番組が利用者の好みであるか否かを判定する判定手段と、判定手段によって利用者の好みの番組であると判定された番組と同一又は類似した内容を有する番組を受信したとき自動でチャンネル情報と放送時間帯を設定して記録する制御手段とを有するため、利用者の好みの番組を確実に提供することができる。
【先行技術文献】
【特許文献】
【０００４】
【特許文献１】特開２００４−３５０３１６号公報
【発明の概要】
【発明が解決しようとする課題】
【０００５】
しかし、上記した従来の映像記録再生装置によると、設置場所の変更等に伴い変化したチューナのチャンネル設定と登録されたチャンネル情報とが一致しないとき、選局内容を正しく記憶することができないため、判定手段が必ずしも確実に動作しないという問題がある。
【０００６】
従って、本発明の目的は、チューナのチャンネル設定の変化に起因して録画動作が正しく実施されないことを防止することができる映像記録再生装置を提供することにある。
【課題を解決するための手段】
【０００７】
［１］本発明は、上記した目的を達成するため、現在チューナが受信可能なチャンネルを示す視聴チャンネル設定情報を更新可能に記憶させるとともに、定期的に繰り返し録画するチャンネル及び時間帯を示す録画チャンネル設定情報を記憶する記憶部と、前記記憶部の前記視聴チャンネル設定情報のチャンネルと前記録画チャンネル設定情報のチャンネルとが一致しないとき、前記録画チャンネル設定情報を書き換える録画管理部とを有することを特徴とする映像記録再生装置を提供する。
【０００８】
上記した構成によれば、録画管理部は、視聴チャンネル設定情報のチャンネルと録画チャンネル設定情報のチャンネルとが一致しないとき録画チャンネル設定情報を再度設定するため、チューナのチャンネル設定の変化に起因して録画動作が正しく実施されないことを防止することができる。
【発明の効果】
【０００９】
本発明によれば、チューナのチャンネル設定の変化に起因して録画動作が正しく実施されないことを防止することができる。
【図面の簡単な説明】
【００１０】
【図１】本発明の実施の形態に係る映像記録再生装置の外観を示す概略図である。
【図２】本発明の実施の形態に係る映像記録再生装置の構成例を示す概略図である。
【図３】（ａ）〜（ｂ）は、本発明の実施の形態に係る映像記録再生装置の取り扱う情報の一例を示す概略図である。
【図４Ａ】本発明の実施の形態に係る映像記録再生装置において表示される表示例を示す概略図である。
【図４Ｂ】本発明の実施の形態に係る映像記録再生装置において表示される表示例を示す概略図である。
【図４Ｃ】本発明の実施の形態に係る映像記録再生装置において表示される表示例を示す概略図である。
【図４Ｄ】本発明の実施の形態に係る映像記録再生装置において表示される表示例を示す概略図である。
【図５Ａ】本発明の実施の形態に係る映像記録再生装置の動作例を示すフローチャートである。
【図５Ｂ】本発明の実施の形態に係る映像記録再生装置の動作例を示すフローチャートである。
【発明を実施するための形態】
【００１１】
（映像記録再生装置の構成）
図１は、本発明の実施の形態に係る映像記録再生装置の構成例を示す概略図である。
【００１２】
映像記録再生装置１は、例えば、デジタル放送波を受信し映像情報を表示及び録画可能な装置であって、録画した映像情報を記憶する記憶部１３と映像を表示するＬＣＤ（Ｌｉｑｕｉｄ  Ｃｒｙｓｔａｌ  Ｄｉｓｐｌａｙ）パネル等から構成される表示画面１４Ａと、音声を出力するスピーカ１５Ｒ及び１５Ｌとを有する。リモコン２は、録画されたニュース番組を視聴するためのニュース視聴ボタン２０とその他の操作入力可能な複数のスイッチを有し、スイッチに対する操作入力に応じて、赤外線等によって映像記録再生装置１に設けられた受光部（図示せず）に対して操作信号を送信する。なお、ニュース番組は、後述するニュース録画の自動設定機能によって設定された内容に基づいて自動で録画され記憶部１３に記憶される。
【００１３】
図２は、本発明の実施の形態に係る映像記録再生装置の構成例を示す概略図である。
【００１４】
映像記録再生装置１は、それぞれアンテナ３０Ａ及び３０Ｂに接続されて放送波を選局するチューナ１０Ａ及び１０Ｂと、チューナ１０Ａ及び１０Ｂによって受信した放送波信号を復号するデコーダ１１と、ＣＰＵ（Ｃｅｔｒａｌ  Ｐｒｏｃｅｓｓｉｎｇ  Ｕｎｉｔ）等によって構成されて情報を処理するとともに各部を制御する制御部１２と、ＨＤＤ（Ｈａｒｄ  Ｄｉｓｋ  Ｄｒｉｖｅ）等によって構成されてフルセグの映像情報を記憶する記憶部１３と、映像を表示する表示部１４と、音声を出力するスピーカ１５Ｒ及び１５Ｌと、リモコン２から受光部を介して（図示せず）受信した操作信号を処理する操作部１６とを有する。
【００１５】
なお、デコーダ１１は、例えば、１３セグメント同時に復号が可能であり、フルセグ１チャンネルとワンセグ１チャンネル分の同時録画が可能である。
【００１６】
制御部１２は、デコーダ１１が出力した映像情報を記憶部１３に映像情報として記録する映像記録部１２Ａと、デコーダ１１が出力した映像情報又は記憶部１３に記憶された映像情報を再生処理する映像再生部１２Ｂと、番組の録画予約を受け付けるとともに受け付けた録画予約の内容で映像記録部１２Ａを動作させる録画予約部１２Ｃと、ニュース番組の繰り返し録画の設定を行ったりその設定に基づいて録画予約部を動作させるニュース録画管理部１２Ｄと、表示部１４を制御して映像再生部１２Ｂが表示処理した映像を表示する表示処理部１２Ｅと、スピーカ１５Ｒ及び１５Ｌを駆動して音声を出力する音声出力処理部１２Ｆとを有する。
【００１７】
記憶部１３は、ニュース録画管理部１２Ｄによって録画予約された内容で録画されたニュース映像情報１３０と、ニュース録画管理部１２Ｄにおいて設定されるニュース番組のチャンネル情報や放送時間帯等の情報であるニュースチャンネル設定情報１３１と、チューナ１０Ａ及び１０Ｂにおいて受信するチャンネル及びチャンネルの詳細情報等である視聴チャンネル設定情報１３２とを有する。
【００１８】
図３（ａ）〜（ｂ）は、本発明の実施の形態に係る映像記録再生装置の取り扱う情報の一例を示す概略図である。
【００１９】
ニュースチャンネル設定情報１３１は、図３（ａ）に示すように、ニュース番組の放送されるチャンネルを示すチャンネルと、ニュース番組の放送される時間帯を示す放送時間帯と、ニュース番組を定期的に録画する際の繰り返し方法を示す繰り返しを有する。
【００２０】
視聴チャンネル設定情報１３２は、チューナ１０Ａ及び１０Ｂにおいて選局可能なチャンネルを示すチャンネルと、各チャンネルに割り当てられた放送局を示す放送局名とを有する。なお、放送波の存在しないチャンネルの放送局名は「なし」と表示される。
【００２１】
図４Ａは、本発明の実施の形態に係る映像記録再生装置において表示される表示例を示す概略図である。
【００２２】
再自動登録確認画面１４０は、ニュースチャンネル設定情報１３１と、視聴チャンネル設定情報１３２とが一致しないとき表示される画面であり、自動登録を実行する「はい」ボタン１４０ａと、自動登録をキャンセルする「いいえ」ボタン１４０ｂとを有する。
【００２３】
図４Ｂは、本発明の実施の形態に係る映像記録再生装置において表示される表示例を示す概略図である。
【００２４】
自動登録確認画面１４１は、ニュースチャンネル設定情報１３１が設定されておらず存在しないとき表示される画面であり、自動登録を実行する「はい」ボタン１４１ａと、自動登録をキャンセルする「いいえ」ボタン１４１ｂとを有する。
【００２５】
図４Ｃは、本発明の実施の形態に係る映像記録再生装置において表示される表示例を示す概略図である。
【００２６】
手動登録確認画面１４２は、ニュースチャンネル設定情報１３１を自動登録するときに必要なチャンネルが、視聴チャンネル設定情報１３２に存在しないとき表示される画面であり、手動でニュース番組を放送しているチャンネル及び時間帯を登録する手動登録を実行する「はい」ボタン１４２ａと、手動登録をキャンセルする「いいえ」ボタン１４２ｂとを有する。
【００２７】
図４Ｄは、本発明の実施の形態に係る映像記録再生装置において表示される表示例を示す概略図である。
【００２８】
追加手動登録確認画面１４３は、ニュースチャンネル設定情報１３１を自動登録した後に、さらに手動でニュース番組を放送しているチャンネル及び時間帯を登録する手動登録を実行する「はい」ボタン１４３ａと、手動登録をキャンセルする「いいえ」ボタン１４３ｂとを有する。
【００２９】
（動作）
以下に、本発明の一実施の形態における映像記録再生装置の動作を各図を参照しつつ説明する。
【００３０】
図５Ａは、本発明の実施の形態に係る映像記録再生装置の動作例を示すフローチャートである。
【００３１】
まず、利用者がニュース番組の視聴を希望して、図１に示すリモコン２のニュース視聴ボタン２０が押下されると（Ｓ１；Ｙｅｓ）、ニュース録画管理部１２Ｄは、図３に示すニュースチャンネル設定情報１３１と視聴チャンネル設定情報１３２の内容を確認して、そのチャンネルの情報が一致するとき（Ｓ２；Ｙｅｓ）、ニュースチャンネル設定情報１３１に問題がないため、次に、記憶部１３に録画済みのニュース映像情報１３０が存在するか確認して、存在するとき（Ｓ３；Ｙｅｓ）、映像再生部１２Ｂにおいてニュース映像情報１３０を再生する（Ｓ４）。
【００３２】
また、ニュース録画管理部１２Ｄは、ステップＳ３において録画済みのニュースがないとき（Ｓ３；Ｎｏ）、ニュースチャンネル設定情報１３１が設定されているか確認し、設定されているとき（Ｓ５；Ｙｅｓ）、録画されたニュース映像情報１３０が存在しない旨を表示部１４に表示して（Ｓ６）、図５Ａに示すＡへと進む。
【００３３】
また、ニュース録画管理部１２Ｄは、ステップＳ５においてニュースチャンネル設定情報１３１が設定されていないと確認したとき（Ｓ５；Ｎｏ）、図４Ｂに示す自動登録確認画面１４１を表示する（Ｓ７）。利用者によって「はい」ボタン１４１ａが押下されると（Ｓ８；Ｙｅｓ）、図５Ｂに示すＢへと進む。また、ステップＳ８において「いいえ」ボタン１４１ｂが押下されると（Ｓ８；Ｎｏ）、図５Ａに示すＡへと進む。
【００３４】
また、ステップＳ２において、ニュース録画管理部１２Ｄは、図３に示すニュースチャンネル設定情報１３１と視聴チャンネル設定情報１３２の内容を確認して、そのチャンネルの情報が一致しないとき（Ｓ２；Ｎｏ）、図４Ａに示す再自動登録確認画面１４０を表示する（Ｓ９）。利用者によって「はい」ボタン１４０ａが押下されると（Ｓ１０；Ｙｅｓ）、図５Ｂに示すＢへと進む。また、ステップＳ１０において「いいえ」ボタン１４０ｂが押下されると（Ｓ１０；Ｎｏ）、図５Ａに示すＡへと進む。
【００３５】
図５Ｂは、本発明の実施の形態に係る映像記録再生装置の動作例を示すフローチャートである。
【００３６】
図５Ａに示した動作の後、ニュース録画管理部１２Ｄは、ニュース録画の自動登録に必要なチャンネル、例えば、工場出荷時にＣＨ１の所定の時間帯においてニュース録画を実行するルールを設定していたとき、そのＣＨ１が存在するとき（Ｓ１１；Ｙｅｓ）、ＣＨ１の所定の時間帯においてニュースを録画するように自動設定し（Ｓ１２）、次に、図４Ｄに示す追加手動登録確認画面１４３を表示して（Ｓ１３）、自動登録した内容に加えてさらに他の番組を追加するために利用者が「はい」ボタン１４３ａを押下したとき（Ｓ１４；Ｙｅｓ）、チャンネル、時間帯、繰り返しを利用者の手動で設定するための手動ニュース録画チャンネル登録画面（図示せず）を表示し（Ｓ１５）、図５Ａに示すＡへと進む。また、ステップＳ１４において利用者が「いいえ」ボタン１４３ｂを押下したとき（Ｓ１４；Ｎｏ）、図５Ａに示すＡへと進む。
【００３７】
また、ステップＳ１１においてニュース録画の自動登録に必要なチャンネルが存在しないとき（Ｓ１１；Ｎｏ）、図４Ｃに示す手動登録確認画面１４２を表示し（Ｓ１６）、利用者がチャンネル、時間帯、繰り返しを手動で設定することを所望して「はい」ボタン１４２ａを押下したとき（Ｓ１７；Ｙｅｓ）、ステップＳ１５へと進む。また、「いいえ」ボタン１４２ｂを押下したとき（Ｓ１７；Ｎｏ）、図５Ａに示すＡへと進む。
【００３８】
（実施の形態の効果）
上記した実施の形態によると、ニュースチャンネル設定情報１３１と視聴チャンネル設定情報１３２とが一致していないとき、再度ニュース録画の自動登録を実行する構成としたため、チューナのチャンネル設定の変化に起因して録画動作が正しく実施されないことを防止することができる。また、自動登録用の予め定められたチャンネルをチューナが受信できない状態であるときに、手動ニュース録画チャンネル登録画面を表示する構成としたため、同様に、チューナのチャンネル設定の変化に起因して録画動作が正しく実施されないことを防止することができるとともに、自動登録動作の際、チューナの受信可能なチャンネルの再スキャン動作等を省略することができる。
【００３９】
［他の実施の形態］
なお、本発明は、上記実施の形態に限定されず、本発明の趣旨を逸脱しない範囲で種々な変形が可能である。例えば、ニュース録画に限らず、規則性をもって繰り返し録画される録画形態であれば同様の効果を達成できる。
【００４０】
また、上記実施の形態で使用される映像記録部１２Ａと、映像再生部１２Ｂと、録画予約部１２Ｃと、ニュース録画管理部１２Ｄと、表示処理部１２Ｅと、音声出力処理部１２Ｆとは、ＣＤ−ＲＯＭ等の記憶媒体から装置内の記憶部に読み込んでも良く、インターネット等のネットワークに接続されているサーバ装置等から装置内の記憶部にダウンロードしてもよい。また、上記実施の形態で使用される手段の一部または全部をＡＳＩＣ等のハードウェアによって実現してもよい。
【符号の説明】
【００４１】
１…映像記録再生装置、２…リモコン、１０Ａ、１０Ｂ…チューナ、１１…デコーダ、１２…制御部、１２Ａ…映像記録部、１２Ｂ…映像再生部、１２Ｃ…録画予約部、１２Ｄ…ニュース録画管理部、１２Ｅ…表示処理部、１２Ｆ…音声出力処理部、１３…記憶部、１４…表示部、１４Ａ…表示画面、１５Ｌ、１５Ｒ…スピーカ、１６…操作部、２０…ニュース視聴ボタン、３０Ａ、３０Ｂ…アンテナ、１３０…ニュース映像情報、１３１…ニュースチャンネル設定情報、１３２…視聴チャンネル設定情報、１４０…再自動登録確認画面、１４０ａ…「はい」ボタン、１４０ｂ…「いいえ」ボタン、１４１…自動登録確認画面、１４１ａ…「はい」ボタン、１４１ｂ…「いいえ」ボタン、１４２…手動登録確認画面、１４２ａ…「はい」ボタン、１４２ｂ…「いいえ」ボタン、１４３…追加手動登録確認画面、１４３ａ…「はい」ボタン、１４３ｂ…「いいえ」ボタン
【図１】
2010238319.tif 000003
【図２】
2010238319.tif 000004
【図３】
2010238319.tif 000005
【図４Ａ】
2010238319.tif 000006
【図４Ｂ】
2010238319.tif 000007
【図４Ｃ】
2010238319.tif 000008
【図４Ｄ】
2010238319.tif 000009
【図５Ａ】
2010238319.tif 000010
【図５Ｂ】
2010238319.tif 000011